(57)【要約】【課題】重畳する画像が複数の表示装置を跨いで移動する演出を実現する。【解決手段】端末装置１０１と複数の表示装置１０２を備える表示システム１００であって、端末装置１０１は、表示装置が表示している背景画像に重畳表示する重畳画像を選択する画像選択部４０２と、重畳画像を重畳表示する際の表示装置１０２の表示領域上の経路情報を設定する経路設定部４０３と、重畳画像および経路情報を、表示装置１０２に送信する送信部４０１と、を備え、表示装置１０２は、重畳画像および経路情報を記憶する記憶部４０６と、記憶部４０６に記憶された重畳画像および経路情報に基づいて、背景画像に重畳画像を重畳した画像を生成する重畳部４０７と、重畳部４０７で生成された画像を表示領域１０３に表示させる表示部３０８と、を備える。【選択図】図４
2019174772.tif 000002
【特許請求の範囲】
【請求項１】
端末装置と複数の表示装置を備える表示システムであって、
前記端末装置は、
前記表示装置が表示している背景画像に重畳表示する重畳画像を選択する画像選択部と、
前記重畳画像を重畳表示する際の前記表示装置の表示領域上の経路情報を設定する経路設定部と、
前記重畳画像および前記経路情報を、前記表示装置に送信する送信部と、を備え、
前記表示装置は、
前記重畳画像および前記経路情報を記憶する記憶部と、
前記記憶部に記憶された前記重畳画像および前記経路情報に基づいて、前記背景画像に前記重畳画像を重畳した画像を生成する重畳部と、
前記重畳部で生成された前記画像を前記表示領域に表示させる表示部と、を備える
ことを特徴とする表示システム。
【請求項２】
前記複数の表示装置は、第１の表示装置および第２の表示装置で構成され、
前記端末装置は、前記第１の表示装置に対して表示開始を指示する第１指示部を備え、
前記第１の表示装置は、前記第２の表示装置に対して表示開始を指示する第２指示部を備え、
前記端末装置の前記第１指示部は、前記複数の表示装置のうちの前記第１の表示装置に表示開始を指示し、
前記第１の表示装置の前記重畳部は、前記表示開始の指示を受け取ると前記画像の生成を開始し、
前記第１の表示装置の前記第２指示部は、前記表示領域における重畳表示が終了すると、前記複数の表示装置のうちの前記第２の表示装置に対して表示開始を指示する
ことを特徴とする請求項１に記載の表示システム。
【請求項３】
前記端末装置は、前記表示装置に対して表示開始を指示する第３指示部、を備え、
前記表示装置は、前記端末装置に対して表示終了を通知する通知部、を備え、
前記端末装置の前記第３指示部は、複数の前記表示装置のうちの第１の表示装置に表示開始を指示し、
前記第１の表示装置の前記重畳部は、前記表示開始の指示を受け取ると前記画像の生成を開始し、
前記第１の表示装置の前記通知部は、前記表示領域における重畳表示が終了すると、前記端末装置に対して表示終了を通知し、
前記端末装置の前記第３指示部は、前記第１の表示装置から前記表示終了の通知を受け取ると、複数の前記表示装置のうちの第２の表示装置に対して表示開始を指示する
ことを特徴とする請求項１に記載の表示システム。
【請求項４】
前記端末装置は、前記表示装置に対して表示開始を指示する第４指示部、を備え、
前記表示装置は、前記表示開始の指示を受け取った時刻および前記記憶部に記憶された前記経路情報に基づいて、前記重畳画像の重畳表示を開始する開始時刻を算出する第１開始時刻算出部と、を備え、
前記端末装置の前記第４指示部は、複数の前記表示装置に同時に表示開始を指示し、
前記表示装置の前記重畳部は、前記第１開始時刻算出部で算出された前記開始時刻になると前記画像の生成を開始する
ことを特徴とする請求項１に記載の表示システム。
【請求項５】
前記端末装置は、前記経路情報に基づいて、複数の前記表示装置における前記重畳画像の重畳表示を開始する開始時刻をそれぞれ算出する第２開始時刻算出部と、を備え、
前記端末装置の送信部は、前記重畳画像、前記経路情報および前記開始時刻を、前記表示装置に送信し、
前記表示装置の前記記憶部は、前記重畳画像、前記経路情報および前記開始時刻を記憶し、
前記表示装置の前記重畳部は、前記記憶部に記憶された前記開始時刻になると前記画像の生成を開始する
ことを特徴とする請求項１に記載の表示システム。
【請求項６】
端末装置と複数の表示装置を備える表示システムであって、
前記端末装置は、
前記表示装置が表示している背景画像に重畳表示する重畳画像を選択する画像選択部と、
前記重畳画像を重畳表示する際の前記表示装置の表示領域上の経路情報を設定する経路設定部と、
前記経路情報に基づいて、前記重畳画像の重畳表示を開始する開始時刻を算出する第２開始時刻算出部と、
接続された外部記憶装置に前記重畳画像、前記経路情報および前記開始時刻を保存する第１外部接続部と、を備え、
前記表示装置は、
前記外部記憶装置が接続可能な第２外部接続部と、
前記重畳画像、前記経路情報および前記開始時刻を記憶する記憶部と、
前記記憶部に記憶された前記開始時刻になると、前記記憶部に記憶された前記重畳画像および前記経路情報に基づいて、前記背景画像に前記重畳画像を重畳した画像を生成する重畳部と、
前記重畳部で生成された前記画像を前記表示領域に表示させる表示部と、を備える
ことを特徴とする表示システム。
【請求項７】
前記端末装置と前記表示装置との間の時刻を同期する時刻同期部を備える
ことを特徴とする請求項４または請求項５に記載の表示システム。
【請求項８】
前記表示装置の内臓時計の時刻を設定する時刻設定部を備える
ことを特徴とする請求項６に記載の表示システム。
【請求項９】
表示領域に表示される背景画像に重畳表示する重畳画像および前記重畳画像を重畳表示する際の前記表示領域上の経路情報を記憶する記憶部と、
前記記憶部に記憶された前記重畳画像および前記経路情報に基づいて、前記背景画像に前記重畳画像を重畳した画像を生成する重畳部と、
前記重畳部で生成された前記画像を前記表示領域に表示させる表示部と、を備える
ことを特徴とする表示装置。
【請求項１０】
端末装置と複数の表示装置とを備える表示システムの表示方法であって、
前記端末装置は、前記表示装置が表示している背景画像に重畳表示する重畳画像を選択する画像選択部と、前記重畳画像を重畳表示する際の前記表示装置の表示領域上の経路情報を設定する経路設定部と、前記重畳画像および前記経路情報を、前記表示装置に送信する送信部と、を備え、
前記表示装置は、前記重畳画像および前記経路情報を記憶する記憶部と、前記記憶部に記憶された前記重畳画像および前記経路情報に基づいて、前記背景画像に前記重畳画像を重畳した画像を生成する重畳部と、合成した画像を前記表示領域に表示させる表示部と、を備え、
前記端末装置が、複数の前記表示装置に前記重畳画像および前記経路情報を送信するステップと、
前記端末装置が、複数の前記表示装置のうちの第１の表示装置に表示開始を指示するステップと、
前記第１の表示装置が、前記重畳画像および前記経路情報に基づいて、前記背景画像に前記重畳画像を重畳した画像を生成するステップと、
前記第１の表示装置が、自身の重畳表示が終了すると、複数の前記表示装置のうちの第２の表示装置に対して表示開始を指示するステップと、を実行する
ことを特徴とする表示システムの表示方法。
【発明の詳細な説明】
【技術分野】
【０００１】
本発明は、表示システム、表示装置、および表示システムの表示方法に関する。
【背景技術】
【０００２】
特許文献１には、ビデオプレイヤから入力される映像（第１の画像）に、端末装置から入力されるテロップ（第２の画像）を重畳して、重畳された映像を投影するプロジェクタが開示されている。
【発明の概要】
【発明が解決しようとする課題】
【０００３】
ところで、複数のプロジェクタがそれぞれ映像を表示している環境において、キャラクタなどの画像が映像に重畳して表示され、複数のプロジェクタの映像間を跨いで移動していくといった演出の映像を表示させたい場合がある。しかしながら、特許文献１に開示された手法では、画像が複数のプロジェクタの映像間を跨いで移動することは考慮されておらず、実現することができなかった。
【０００４】
よって、本発明は、重畳する画像が複数の表示装置を跨いで移動する演出を実現する表示システム、表示装置、および表示システムの表示方法を提供することを目的とする。
【課題を解決するための手段】
【０００５】
上記の目的を達成するため、本発明に係る表示システムは、端末装置と複数の表示装置を備える表示システムであって、前記端末装置は、前記表示装置が表示している背景画像に重畳表示する重畳画像を選択する画像選択部と、前記重畳画像を重畳表示する際の前記表示装置の表示領域上の経路情報を設定する経路設定部と、前記重畳画像および前記経路情報を、前記表示装置に送信する送信部と、を備え、前記表示装置は、前記重畳画像および前記経路情報を記憶する記憶部と、前記記憶部に記憶された前記重畳画像および前記経路情報に基づいて、前記背景画像に前記重畳画像を重畳した画像を合成する画像合成部と、合成した画像を前記表示領域に表示させる表示部と、を備えることを特徴とする。
【発明の効果】
【０００６】
本発明によれば、重畳する画像が複数の表示装置を跨いで移動する演出を実現する表示システム、表示装置、および表示システムの表示方法を提供することができる。
【図面の簡単な説明】
【０００７】
【図１】一実施形態に係る表示システムの構成例を示す図である。
【図２】一実施形態に係るＰＣのハードウェア構成例を示す図である。
【図３】一実施形態に係るプロジェクタのハードウェア構成の例を示す図である。
【図４】第１実施形態に係る表示システムの機能構成図である。
【図５】一実施形態に係る表示システムの端末装置で、画像選択部、経路設定部の機能を提供するアプリケーションの画面例を示す図である。
【図６】第１実施形態に係る表示システムの処理の流れを表すシーケンス図である。
【図７】第２実施形態に係る表示システムの機能構成図である。
【図８】第２実施形態に係る表示システムの処理の流れを表すシーケンス図である。
【図９】第２実施形態の変形例に係る表示システムの処理の流れを表すシーケンス図である。
【図１０】第３実施形態に係る表示システムの機能構成図である。
【図１１】第３実施形態に係る表示システムの処理の流れを表すシーケンス図である。
【図１２】第４実施形態に係る表示システムの機能構成図である。
【図１３】第４実施形態に係る表示システムの処理の流れを表すシーケンス図である。
【図１４】第５実施形態に係る表示システムの機能構成図である。
【図１５】第５実施形態に係る表示システムの処理の流れを表すシーケンス図である。
【発明を実施するための形態】
【０００８】
以下に、本発明の実施の形態について、添付の図面を参照して説明する。
【０００９】
＜システムの構成＞
図１は、一実施形態に係る表示システム１００の構成例を示す図である。表示システム１００は、端末装置であるパーソナルコンピュータ（以下、ＰＣ）１０１と、複数のプロジェクタ（表示装置）１０２−１，１０２−２，１０２−３と、を備えており、例えば、無線ＬＡＮ（Local Area Network）又は有線ＬＡＮ等のネットワーク１０６を介して互いに通信可能に接続されている。なお、以下の説明の中で、複数のプロジェクタ１０２−１〜１０２−３のうちの任意のプロジェクタを示す場合「プロジェクタ１０２」を用いる。また、複数のプロジェクタ１０２−１〜１０２−３の数は一例であって、２台以上の他の数であってもよい。
【００１０】
プロジェクタ１０２は、投影面に投影画像（表示画像）を投影する画像投影装置である。表示システム１００は、例えば図１に示すように、プロジェクタ１０２−１の投影領域１０３−１、プロジェクタ１０２−２の投影領域１０３−２、およびプロジェクタ１０２−３の投影領域１０３−３が横方向に並ぶように配置されており、ユーザが選択した画像（以下、キャラクタ画像と呼ぶものとする。）１０４が、複数のプロジェクタ１０２の投影領域を跨ぐ経路１０５に沿って投影領域１０３−１〜１０３−３の中を動き回るような演出を行う表示システムである。なお、投影領域１０３の配置は、横方向に限定されるものではなく、任意の配置であってもよい。
【００１１】
ＰＣ１０１は、表示システム１００で用いられる端末装置の一例であり、ユーザがキャラクタ画像１０４の選択、キャラクタ画像１０４の移動経路の設定、プロジェクタ１０２への表示開始の指示などを行うための端末装置である。なお、表示システム１００で用いられる端末装置は、ＰＣに限られず、例えば、タブレット端末やスマートフォン等の他の端末装置であってもよい。
【００１２】
プロジェクタ１０２は、複数の表示装置の表示画像の間を跨いでキャラクタ画像１０４を順次に表示する表示システム１００で用いられる表示装置の一例である。なお、表示システム１００で用いられる表示装置は、プロジェクタに限られず、例えば、液晶ディスプレイ、電子黒板等の他の表示装置であってもよい。なお、プロジェクタ１０２は、ＤＶＤプレイヤなどの画像出力装置（図示せず）と接続され、画像出力装置から出力された画像を背景画像として投影領域１０３に投影していてもよい。
【００１３】
＜ハードウェアの構成＞
（端末装置のハードウェア構成）
図２は、一実施形態に係るＰＣ１０１のハードウェア構成例を示す図である。ＰＣ１０１は、一般的なコンピュータの構成を含み、例えば、ＣＰＵ（Central Processing Unit）２０１、メモリ２０２、ストレージ部２０３、ネットワークＩ／Ｆ（Interface）２０４、外部接続Ｉ／Ｆ２０５、およびバス２０６等を有する。なお、ＰＣ１０１は、端末装置の一例である。
【００１４】
ＣＰＵ２０１は、メモリ２０２やストレージ部２０３等からプログラムやデータを読み出し、処理を実行することでＰＣ１０１が備える各機能を実現する演算装置である。メモリ２０２は、例えば、ＣＰＵ２０１のワークエリア等として使用されるＲＡＭ（Random Access Memory）や、プロジェクタ１０２の起動プログラム等を格納するＲＯＭ（Read Only Memory）等を含む。
【００１５】
ストレージ部２０３は、ＰＣ１０１のプログラムや、画像データ等を記憶する大容量の記憶手段であり、例えば、ＳＳＤ（Solid State Drive）や、ＨＤＤ（Hard Disk Drive）等によって構成される。
【００１６】
ネットワークＩ／Ｆ２０４は、ＰＣ１０１をネットワーク１０６に接続して、プロジェクタ１０２等と通信するための、例えば、無線ＬＡＮ、有線ＬＡＮ等のインタフェースである。
【００１７】
外部接続Ｉ／Ｆ２０５は、例えば、ディスプレイ等の表示装置２０７や、マウスおよびキーボード等の操作装置２０８の他、ＵＳＢメモリ等の外部記憶装置を接続するためのインタフェースである。
【００１８】
バス２０６は、上記各構成に接続され、アドレス信号、データ信号、各種制御信号等を伝達する。
【００１９】
（表示装置のハードウェア構成）
図３は、一実施形態に係るプロジェクタ１０２のハードウェア構成の例を示す図である。プロジェクタ１０２は、一般的なコンピュータの構成を含み、例えば、ＣＰＵ３０１、メモリ３０２、ストレージ部３０３、ネットワークＩ／Ｆ３０４、外部接続Ｉ／Ｆ３０５、画像処理部３０６、音声出力部３０７、画像投影部３０８、操作部３０９、およびバス３１０等を有する。なお、プロジェクタ１０２は、表示装置の一例である。
【００２０】
ＣＰＵ３０１は、メモリ３０２やストレージ部３０３等からプログラムやデータを読み出し、処理を実行することでプロジェクタ１０２が備える各機能を実現する演算装置である。メモリ３０２は、例えば、ＣＰＵ３０１のワークエリア等として使用されるＲＡＭや、プロジェクタ１０２の起動プログラム等を格納するＲＯＭ等を含む。
【００２１】
ストレージ部３０３は、プロジェクタ１０２のプログラムや、画像データ等を記憶する大容量の記憶手段であり、例えば、ＳＳＤや、ＨＤＤ等によって構成される。
【００２２】
ネットワークＩ／Ｆ３０４は、プロジェクタ１０２をネットワーク１０６に接続して、ＰＣ１０１や他のプロジェクタ１０２等と通信するための、例えば、無線ＬＡＮ、有線ＬＡＮ等のインタフェースである。
【００２３】
外部接続Ｉ／Ｆ３０５は、例えば、ＵＳＢメモリ等の外部記憶装置を接続するためのインタフェースである。
【００２４】
画像処理部３０６は、投影する画像データに対して、例えば、デコードや、変倍、切り出し等の様々な画像処理を実行する。
【００２５】
音声出力部３０７は、画像データ（例えば、動画データ）に含まれる音声を出力する音声回路や、スピーカ等によって構成される。
【００２６】
画像投影部３０８は、画像を投影面の投影領域１０３に投影するための、光源、表示素子、投影レンズ等を含む。
【００２７】
操作部３０９は、利用者の操作を受付けるための、キーや、タッチパネル等の入力デバイスである。
【００２８】
バス３１０は、上記各構成に接続され、アドレス信号、データ信号、各種制御信号等を伝達する。
【００２９】
＜表示システムの機能構成＞
図４は、第１実施形態に係る表示システム１００の機能構成図である。なお、表示システム１００に含まれる複数のプロジェクタ１０２は、プロジェクタ１０２−１と同様の構成を有しているものとする。
【００３０】
（端末装置の機能構成）
ＰＣ１０１は、例えば、図２のＣＰＵ２０１で所定のプログラムを実行することにより、通信部４０１、画像選択部４０２、経路設定部４０３、および表示開始指示部４０４等を実現している。なお、上記の各機能構成の少なくとも一部は、ハードウェアによって実現されるものであってもよい。
【００３１】
通信部４０１は、例えば、図２のネットワークＩ／Ｆ２０４を用いて、ＰＣ１０１をネットワーク１０６に接続し、プロジェクタ１０２や、外部装置等と通信を行う。
【００３２】
画像選択部４０２は、ユーザが投影領域１０３の上に重畳表示したいキャラクタ画像１０４を選択する機能を提供する。例えば、表示装置２０７に表示された内容に従ってユーザが操作装置２０８を使ってキャラクタ画像１０４の選択を行う。
【００３３】
経路設定部４０３は、キャラクタ画像１０４が投影領域１０３の上を移動する経路情報を設定する機能を提供する。ここで設定する経路情報には、例えば、表示開始時刻、表示開始位置、移動経路、移動速度、表示終了位置、表示終了時刻等が含まれる。
【００３４】
画像選択部４０２で選択したキャラクタ画像１０４、および経路設定部４０３で設定した経路情報は、通信部４０１を通して各プロジェクタ１０２に送信される。
【００３５】
表示開始指示部４０４は、プロジェクタ１０２に対してキャラクタ画像１０４の表示開始指示を行う部分である。表示開始指示は、経路設定部４０３で設定された経路情報に基づいて、各プロジェクタ１０２がキャラクタ画像１０４の表示をいつ開始すればよいかを判断し、開始すべきタイミングをプロジェクタ１０２に指示する。表示開始指示は、通信部４０１を経由してプロジェクタ１０２に送信される。
【００３６】
（プロジェクタの機能構成）
プロジェクタ１０２は、例えば、図３のＣＰＵ３０１で所定のプログラムを実行することにより、通信部４０５、記憶部４０６、画像合成部４０７、表示開始指示部４０８、および表示終了通知部４０９等を実現している。なお、上記の各機能構成の少なくとも一部は、ハードウェアによって実現されるものであってもよい。
【００３７】
通信部４０５は、例えば、図３のネットワークＩ／Ｆ３０４を用いて、プロジェクタ１０２をネットワーク１０６に接続し、ＰＣ１０１、他のプロジェクタ１０２や、外部装置等と通信を行う。
【００３８】
記憶部４０６は、ＰＣ１０１の画像選択部４０２で選択されたキャラクタ画像１０４、および経路設定部４０３で設定された経路情報等を記憶する機能を有する部分である。これらの情報は、通信部４０５を通じて受信する。
【００３９】
画像合成部４０７は、投影領域１０３に投影している画像（背景画像）の上にキャラクタ画像１０４を重畳表示するための画像合成処理を行う部分である。通信部４０５を通じて、ＰＣ１０１の表示開始指示部４０４、あるいは他のプロジェクタ１０２の表示開始指示部４０８からの表示開始指示を受信すると、プロジェクタ１０２は投影領域１０３に投影している画像の上にキャラクタ画像１０４の合成を行う。投影している画像の上にキャラクタ画像１０４を合成する位置は、記憶部４０６に記憶された経路情報に基づいて行う。なお、合成された画像は、画像投影部３０８を用いて投影面の投影領域１０３に投影される。
【００４０】
表示開始指示部４０８は、他のプロジェクタ１０２に対してキャラクタ画像１０４の表示開始指示を行う部分である。プロジェクタ１０２は、自身の投影領域１０３上でのキャラクタ画像１０４の重畳表示が終了すると、経路情報上の次のプロジェクタ１０２に対して、表示開始指示を行う。次のプロジェクタ１０２への表示開始指示の送信は通信部４０５を通じて行う。
【００４１】
表示終了通知部４０９は、ＰＣ１０１に対して表示終了通知を行う部分である。プロジェクタ１０２は、自身が最後にキャラクタ画像１０４の重畳表示を行うプロジェクタ１０２であり、自身の投影領域１０３上でのキャラクタ画像１０４の重畳表示が終了すると、ＰＣ１０１に対して表示終了通知を行う。ＰＣ１０１への表示終了通知の送信は通信部４０５を通じて行う。
【００４２】
＜設定画面の表示例＞
図５は、一実施形態に係る表示システム１００の端末装置で、画像選択部４０２、経路設定部４０３の機能を提供するアプリケーションの画面例を示す図である。ユーザは、このアプリケーションを使用して、キャラクタ画像１０４の選択、プロジェクタ１０２の配置、キャラクタ画像１０４の移動経路、移動速度、表示開始時刻等の情報を設定する。なお、図は一例であり、画像選択部４０２、経路設定部４０３の機能を実現するものであれば、画面の構成や操作手順等は問わない。
【００４３】
例えば、メニュー５０１から画像選択５０２を選択することにより、キャラクタ画像１０４の選択画面（図示せず）が表示され、重畳表示するキャラクタ画像１０４を選択することができる。なお、ここで選択されたキャラクタ画像１０４は、プロジェクタ１０２に送信される。
【００４４】
また、メニュー５０１からＰＪ編集５０３を選択することにより、使用するプロジェクタ１０２の選択（台数の増減）や、各プロジェクタ１０２の位置関係を設定することができる。なお、画面例では、ＰＪ１，ＰＪ２，ＰＪ３で示す識別符号が付された３台のプロジェクタ１０２が本システムに使用する表示装置として選択された状態を示しており、プロジェクタ１０２−１の投影領域１０３−１に対応するＰＪ１の領域枠５０４−１と、プロジェクタ１０２−２の投影領域１０３−２に対応するＰＪ２の領域枠５０４−２と、プロジェクタ１０２−３の投影領域１０３−３に対応するＰＪ３の領域枠５０４−３と、が表示されている。プロジェクタ１０２同士の位置関係と対応するように領域枠５０４−１，５０４−２，５０４−３の位置関係を変更することにより、プロジェクタ１０２同士の位置関係を設定することができる。なお、ここで設定された使用するプロジェクタ１０２の情報や、プロジェクタ１０２同士の位置関係の情報は、プロジェクタ１０２に送信される経路情報に含まれていてもよい。
【００４５】
また、メニュー５０１からルート編集５０５を選択することにより、キャラクタ画像１０４の移動経路を設定することができる。なお、画面例では、白抜き丸印で示す表示開始位置５０６と、黒塗り丸印で示す表示終了位置５０７と、表示開始位置５０６から表示終了位置５０７までを接続する曲線で示す移動経路５０８と、が表示されている。これらの位置や曲線の形状を変更することによりキャラクタ画像１０４の移動経路を設定することができる。なお、ここで設定された表示開始位置５０６、表示終了位置５０７、移動経路５０８の情報は、プロジェクタ１０２に送信される経路情報に含まれていてもよい。
【００４６】
ここで、画面例で設定された移動経路５０８は、キャラクタ画像１０４が複数のプロジェクタ１０２の表示画像の間を移動する際の全行程に対応する。経路設定部４０３は、入力された全行程の移動経路５０８から、領域枠５０４−１内における移動経路５０９−１、領域枠５０４−２内における移動経路５０９−２、領域枠５０４−３内における移動経路５０９−３を抽出してもよい。なお、画面例では、全行程の移動経路５０８のうち、領域枠５０４のなかを通る移動経路５０９を実線矢印で示し、領域枠５０４の外を通る移動経路は破線で表示するものとしている。なお、ここで抽出された各プロジェクタ１０２ごとの移動経路５０９の情報は、プロジェクタ１０２に送信される経路情報に含まれていてもよい。
【００４７】
また、経路設定部４０３は、入力された全行程の移動経路５０８が、どの順番で領域枠５０４−１，５０４−２，５０４−３を通るかを抽出することにより、キャラクタ画像１０４が通過するプロジェクタ１０２の通過順序の情報を抽出してもよい。なお、ここで抽出されたプロジェクタ１０２の通過順序の情報は、プロジェクタ１０２に送信される経路情報に含まれていてもよい。
【００４８】
また、速度設定欄５１０からキャラクタ画像１０４の移動速度を設定することができる。また、開始時刻設定欄５１１から、キャラクタ画像１０４の重畳表示を開始する表示開始時刻を設定することができる。なお、ここで設定されたキャラクタ画像１０４の移動速度の情報や、表示開始時刻の情報は、プロジェクタ１０２に送信される経路情報に含まれていてもよい。
【００４９】
＜第１実施形態のタイムチャート＞
図６は、第１実施形態に係る表示システム１００の処理の流れを表すシーケンス図である。
【００５０】
まず、ユーザは、ＰＣ１０１を使用して画像選択部４０２を機能させ、プロジェクタ１０２の投影領域１０３上に重畳表示させたいキャラクタ画像１０４の選択を行う（ステップＳ６０１）。
【００５１】
また、ユーザは、ＰＣ１０１を使用して経路設定部４０３を機能させ、キャラクタ画像１０４の経路の設定を行う（ステップＳ６０２）。なお、ここで実施する経路の設定には、キャラクタ画像１０４の移動経路、移動速度、表示開始時刻の他、使用するプロジェクタ１０２の選択、プロジェクタ１０２同士の位置関係の設定等が含まれていてもよい。
【００５２】
キャラクタ画像選択および経路設定は、例えば、図５に示したアプリケーションを使用して行う。また、キャラクタ画像選択および経路設定の実施順序については、ステップＳ６０１，Ｓ６０２に示す順序に限らず、経路設定を実施した後にキャラクタ画像選択を実施する等、順序を変更してもよい。
【００５３】
ユーザによるキャラクタ画像選択、経路設定が完了すると、ＰＣ１０１の通信部４０１は、各プロジェクタ１０２−１，１０２−２，１０２−３に、ユーザが選択・設定した情報を送信する（ステップＳ６０３〜Ｓ６０５）。また、各プロジェクタ１０２−１，１０２−２，１０２−３は、ＰＣ１０１から送信された情報を通信部４０５で受信し、記憶部４０６に記憶する。
【００５４】
ステップＳ６０３〜Ｓ６０５においてＰＣ１０１から送信する情報には、ステップＳ６０１で選択されたキャラクタ画像１０４のデータ、ステップＳ６０２で設定された経路情報、およびプロジェクタ情報等が含まれる。ここで、経路情報とは、例えば、各プロジェクタ１０２の投影領域１０３での経路座標、移動速度、キャラクタ画像１０４が通過するプロジェクタ１０２の通過順序の情報等、プロジェクタ１０２でのキャラクタ画像１０４の合成に必要な情報である。また、プロジェクタ情報とは、各プロジェクタ１０２のＩＰアドレス等の情報である。なお、プロジェクタ情報や経路情報に含まれる情報は一例であり、これ以外の情報を含んでもよい。
【００５５】
ＰＣ１０１の表示開始指示部４０４は、ユーザが設定した表示開始時刻になると、最初にキャラクタ画像１０４の重畳表示を行うプロジェクタ１０２−１に表示開始指示を送信する（ステップＳ６０６）。なお、本実施形態においては、表示開始指示部４０４は表示開始時刻になると表示開始指示を送信する構成として説明したが、これに限られるものではなく、表示開始を示すユーザからの操作を受け付けると表示開始指示を送信する構成としてもよい。
【００５６】
プロジェクタ１０２−１は、ＰＣ１０１から表示開始指示を受信すると、画像合成部４０７による画像合成処理を実行する（ステップＳ６０７）。画像合成部４０７は、記憶部４０６に記憶されているキャラクタ画像１０４および経路情報（例えば、経路座標と移動速度）に基づいて、投影中の画像（背景画像）にキャラクタ画像１０４を合成し、投影領域１０３−１上に投影する。そして、経路情報に基づく合成および投影を続けていき、キャラクタ画像１０４が投影領域１０３−１の外に出ると、プロジェクタ１０２−１における画像合成処理は終了する。
【００５７】
プロジェクタ１０２−１は、自身の投影領域１０３−１への重畳表示が終了すると、表示開始指示部４０８による他のプロジェクタ１０２へ表示開始指示を送信する処理を実行する（ステップＳ６０８）。表示開始指示部４０８は、記憶部４０６に記憶されている経路情報（例えば、通過順序の情報）から、次にキャラクタ画像１０４の重畳表示を行うプロジェクタ１０２−２を特定する。また、記憶部４０６に記憶されているプロジェクタ情報からプロジェクタ１０２−２と通信するのに必要な情報（例えば、ＩＰアドレス）を取得する。これにより、プロジェクタ１０２−１の表示開始指示部４０８は、プロジェクタ１０２−２に表示開始指示を送信する。なお、本実施形態においては、プロジェクタ１０２−１の重畳表示終了後にプロジェクタ１０２−１からプロジェクタ１０２−２への表示開始指示の送信を行う構成として説明したが、これに限られるものではなく、ネットワーク１０６の通信の遅れ等を考慮し、プロジェクタ１０２−１の重畳表示終了前に予めプロジェクタ１０２−１からプロジェクタ１０２−２への表示開始指示の送信を行う構成としてもよい。
【００５８】
プロジェクタ１０２−２は、プロジェクタ１０２−１から表示開始指示を受信すると、画像合成部４０７による画像合成処理を実行する（ステップＳ６０９）。なお、ステップＳ６０９におけるプロジェクタ１０２−２の画像合成処理は、ステップＳ６０７におけるプロジェクタ１０２−１の画像合成処理と同様であり、重複する説明を省略する。
【００５９】
プロジェクタ１０２−２は、自身の投影領域１０３−２への重畳表示が終了すると、表示開始指示部４０８による他のプロジェクタ１０２へ表示開始指示を送信する処理を実行する（ステップＳ６１０）。なお、ステップＳ６１０におけるプロジェクタ１０２−２の処理は、表示開始指示を送信する先がプロジェクタ１０２−３である点を除けば、ステップＳ６０８におけるプロジェクタ１０２−１の処理と同様であり、重複する説明を省略する。
【００６０】
プロジェクタ１０２−３は、プロジェクタ１０２−２から表示開始指示を受信すると、画像合成部４０７による画像合成処理を実行する（ステップＳ６１１）。なお、ステップＳ６１１におけるプロジェクタ１０２−３の画像合成処理は、ステップＳ６０７におけるプロジェクタ１０２−１の画像合成処理と同様であり、重複する説明を省略する。
【００６１】
このようにして、プロジェクタ１０２から次のプロジェクタ１０２へ順次表示開始指示を送信していくことによって、複数のプロジェクタ１０２の投影領域１０３上をキャラクタ画像１０４が移動していく演出を容易に実現することができる。
【００６２】
最後にキャラクタ画像１０４の重畳表示を行うプロジェクタ１０２−３は、自身の投影領域１０３−３への重畳表示が終了すると、表示終了通知部４０９によるＰＣ１０１に対して重畳表示が終了した旨の終了通知を送信する処理を実行する（ステップＳ６１２）。例えば、表示終了通知部４０９は、記憶部４０６に記憶されている経路情報（例えば、通過順序の情報）から自身が最後にキャラクタ画像１０４の重畳表示を行うプロジェクタ１０２であるか否かを判定する。最後のプロジェクタ１０２と判定した場合、表示終了通知部４０９は、記憶部４０６に記憶されているＰＣ１０１と通信するのに必要な情報（例えば、ＩＰアドレス）を取得して、ＰＣ１０１に終了通知を送信する。なお、ＰＣ１０１と通信するのに必要な情報は、ステップＳ６０３〜Ｓ６０５において記憶部４０６に記憶した情報に含まれていてもよい。
【００６３】
この終了通知を受信することにより、ＰＣ１０１では一連のキャラクタ画像１０４の重畳表示が正常に完了したことを知ることができる。なお、ＰＣ１０１において一連の重畳表示が正常に完了したことを検知する必要がない場合には、プロジェクタ１０２−３からＰＣ１０１への終了通知は送信しなくてもよい。
【００６４】
以上、第１実施形態に係る表示システム１００によれば、各プロジェクタ１０２の投影領域１０３に異なる画像（背景画像）を投影している状態において、任意のタイミングでキャラクタ画像１０４が複数の投影領域１０３を跨いで移動していくといった演出を容易に実現することができる。
【００６５】
なお、キャラクタ画像が複数のプロジェクタの映像間を跨いで移動していくといった演出の映像を投影する場合、従来の方法として、予め背景となる映像の上に移動するキャラクタ画像を合成した映像を作成しておき、その合成した映像を投影するといった方法がある。しかしながら、この方法では、キャラクタ画像の変更や、キャラクタ画像を移動させるタイミングの変更、移動経路の変更などを容易に実現することはできなかった。
【００６６】
これに対し、第１実施形態に係る表示システム１００によれば、キャラクタ画像１０４の変更や、キャラクタ画像１０４を移動させるタイミングの変更、移動経路の変更などを容易に実現することができる。
【００６７】
また、他の従来の方法として、投影映像を出力するＰＣなどの装置上で、各プロジェクタ用の映像にリアルタイムでキャラクタ画像を合成して、各プロジェクタに映像を出力するといった方法がある。しかしながら、この方法では、映像を合成するための専用ＰＣが必要になるとともに、プロジェクタが投影する映像を常にＰＣから出力する必要がある。
【００６８】
これに対し、第１実施形態に係る表示システム１００によれば、端末装置としてタブレット端末やスマートフォン、汎用的なＰＣ等を用いることができ、安価にシステムを構築することができる。
【００６９】
≪第２実施形態≫
次に、第２実施形態に係る表示システム１００について説明する。ここでは、第１実施形態と異なる部分についてのみ記述する。
【００７０】
＜表示システムの機能構成＞
図７は、第２実施形態に係る表示システム１００の機能構成図である。なお、表示システム１００に含まれる複数のプロジェクタ１０２は、プロジェクタ１０２−１と同様の構成を有しているものとする。
【００７１】
（端末装置の機能構成）
ＰＣ１０１は、例えば、図２のＣＰＵ２０１で所定のプログラムを実行することにより、通信部４０１、画像選択部４０２、経路設定部４０３、および表示開始指示部７０１等を実現している。
【００７２】
表示開始指示部７０１は、プロジェクタ１０２に対してキャラクタ画像１０４の表示開始指示を行う部分である。なお、第１実施形態の表示開始指示部４０４は、最初にキャラクタ画像１０４の重畳表示を行うプロジェクタ１０２に表示開始指示を行うのに対し、第２実施形態の表示開始指示部７０１は、全てのプロジェクタ１０２に順次表示開始指示を行う点で異なっている。
【００７３】
（プロジェクタの機能構成）
プロジェクタ１０２は、例えば、図３のＣＰＵ３０１で所定のプログラムを実行することにより、通信部４０５、記憶部４０６、画像合成部４０７、および表示終了通知部７０２等を実現している。
【００７４】
表示終了通知部７０２は、ＰＣ１０１に対して表示終了通知を行う部分である。なお、第１実施形態の表示終了通知部４０９は、最後にキャラクタ画像１０４の重畳表示を行うプロジェクタ１０２が表示終了通知を行うのに対し、第２実施形態の表示終了通知部７０２は、各プロジェクタ１０２が表示終了通知を行う点で異なっている。
【００７５】
＜第２実施形態のタイムチャート＞
図８は、第２実施形態に係る表示システム１００の処理の流れを表すシーケンス図である。
【００７６】
ステップＳ８０１からステップＳ８０５において、第１実施形態のステップＳ６０１からステップＳ６０５と同様に、ユーザは、キャラクタ画像１０４を選択するとともに、キャラクタ画像１０４の経路の設定を行う。また、ＰＣ１０１は、各プロジェクタ１０２−１，１０２−２，１０２−３に、ユーザが選択・設定した情報を送信する。
【００７７】
なお、ステップＳ８０３〜Ｓ８０５においてＰＣ１０１から送信する情報には、ステップＳ８０１で選択されたキャラクタ画像１０４のデータ、およびステップＳ８０２で設定された経路情報等が含まれる。ここで、経路情報とは、例えば、各プロジェクタ１０２の投影領域１０３での経路座標、移動速度等、プロジェクタ１０２でのキャラクタ画像１０４の合成に必要な情報である。
【００７８】
ＰＣ１０１の表示開始指示部４０４は、ユーザが設定した表示開始時刻になると、第１実施形態のステップＳ６０６と同様に、最初にキャラクタ画像１０４の重畳表示を行うプロジェクタ１０２−１に表示開始指示を送信する（ステップＳ８０６）。
【００７９】
プロジェクタ１０２−１は、ＰＣ１０１から表示開始指示を受信すると、第１実施形態のステップＳ６０７と同様に、画像合成部４０７による画像合成処理を実行する（ステップＳ８０７）。
【００８０】
プロジェクタ１０２−１は、自身の投影領域１０３−１への重畳表示が終了すると、表示終了通知部７０２によるＰＣ１０１に対して終了通知を送信する処理を実行する（ステップＳ８０８）。
【００８１】
ＰＣ１０１は、プロジェクタ１０２−１から終了通知を受信すると、表示開始指示部７０１による次のプロジェクタ１０２に表示開始指示を送信する処理を実行する（ステップＳ８０９）。表示開始指示部７０１は、経路設定部４０３で設定された経路情報（例えば、通過順序の情報）から、次にキャラクタ画像１０４の重畳表示を行うプロジェクタ１０２−２を特定して、表示開始指示を送信する。
【００８２】
以下、プロジェクタ１０２−２，１０２−３においても、プロジェクタ１０２−１の場合と同様に、処理を行う（ステップＳ８１０〜Ｓ８１４）。そして、ＰＣ１０１が、最後にキャラクタ画像１０４の重畳表示を行うプロジェクタ１０２−３から終了通知を受信すると、一連のキャラクタ画像の重畳表示を終了する。
【００８３】
このようにして、プロジェクタ１０２から終了通知を受信したＰＣ１０１が次のプロジェクタ１０２へ表示開始指示を順次送信していくことによって、複数のプロジェクタ１０２の投影領域１０３上をキャラクタ画像１０４が移動していく演出を容易に実現することができる。
【００８４】
以上、第２実施形態に係る表示システム１００によれば、第１実施形態と同様に、各プロジェクタ１０２の投影領域１０３に異なる画像（背景画像）を投影している状態において、任意のタイミングでキャラクタ画像１０４が複数の投影領域１０３を跨いで移動していくといった演出を容易に実現することができる。また、キャラクタ画像１０４の変更や、キャラクタ画像１０４を移動させるタイミングの変更、移動経路の変更などを容易に実現することができる。また、端末装置としてタブレット端末やスマートフォン、汎用的なＰＣ等を用いることができ、安価にシステムを構築することができる。
【００８５】
また、第２実施形態に係る表示システム１００においては、プロジェクタ１０２は他のプロジェクタ１０２の情報を持たなくてもよいため、第１実施形態と比較して、ステップＳ８０３〜Ｓ８０５においてＰＣ１０１からプロジェクタ１０２に送信する情報を減らすことができる。
【００８６】
また、第２実施形態に係る表示システム１００においては、プロジェクタ１０２同士が直接通信を行う必要が無いため、プロジェクタ１０２同士が通信できないネットワーク環境のおいても、一連のキャラクタ画像１０４の重畳表示を実現することができる。
【００８７】
≪第２実施形態の変形例≫
次に、第２実施形態の変形例に係る表示システム１００について説明する。ここでは、第２実施形態と異なる部分についてのみ記述する。
【００８８】
＜第２実施形態の変形例のタイムチャート＞
図９は、第２実施形態の変形例に係る表示システム１００の処理の流れを表すシーケンス図である。
【００８９】
ステップＳ９０１からステップＳ９０２において、第１実施形態のステップＳ８０１からステップＳ８０２と同様に、ユーザは、キャラクタ画像１０４を選択するとともに、キャラクタ画像１０４の経路の設定を行う。
【００９０】
ＰＣ１０１の表示開始指示部４０４は、ユーザが設定した表示開始時刻になると、最初にキャラクタ画像１０４の重畳表示を行うプロジェクタ１０２−１にユーザが選択・設定した情報および表示開始指示を送信する（ステップＳ９０３）。
【００９１】
なお、ステップＳ９０３においてＰＣ１０１から送信する情報には、第２実施形態のステップＳ８０３〜Ｓ８０５においてＰＣ１０１から送信する情報と同様である。ステップＳ９０６，Ｓ９０９についても同様である。
【００９２】
プロジェクタ１０２−１は、ＰＣ１０１から表示開始指示を受信すると、第２実施形態のステップＳ８０７と同様に、画像合成部４０７による画像合成処理を実行する（ステップＳ９０４）。
【００９３】
プロジェクタ１０２−１は、自身の投影領域１０３−１への重畳表示が終了すると、第２実施形態のステップＳ８０８と同様に、表示終了通知部７０２によるＰＣ１０１に対して終了通知を送信する処理を実行する（ステップＳ９０５）。
【００９４】
ＰＣ１０１は、プロジェクタ１０２−１から終了通知を受信すると、表示開始指示部７０１による次のプロジェクタ１０２に表示開始指示を送信する処理を実行する（ステップＳ９０６）。表示開始指示部７０１は、経路設定部４０３で設定された経路情報（例えば、通過順序の情報）から、次にキャラクタ画像１０４の重畳表示を行うプロジェクタ１０２−２を特定して、ユーザが選択・設定した情報および表示開始指示を送信する。なお、ユーザが選択・設定した情報と表示開始指示とを別の信号として構成してもよく、ユーザが選択・設定した情報を送信したことをもって、表示開始指示がされたものと構成してもよい。
【００９５】
以下、プロジェクタ１０２−２，１０２−３においても、プロジェクタ１０２−１の場合と同様に、処理を行う（ステップＳ９０７〜Ｓ９１１）。そして、ＰＣ１０１が、最後にキャラクタ画像１０４の重畳表示を行うプロジェクタ１０２−３から終了通知を受信すると、一連のキャラクタ画像の重畳表示を終了する。
【００９６】
このようにして、プロジェクタ１０２から終了通知を受信したＰＣ１０１が次のプロジェクタ１０２へ表示開始指示を順次送信していくことによって、複数のプロジェクタ１０２の投影領域１０３上をキャラクタ画像１０４が移動していく演出を容易に実現することができる。
【００９７】
以上、第２実施形態の変形例に係る表示システム１００によれば、第１実施形態と同様に、各プロジェクタ１０２の投影領域１０３に異なる画像（背景画像）を投影している状態において、任意のタイミングでキャラクタ画像１０４が複数の投影領域１０３を跨いで移動していくといった演出を容易に実現することができる。また、キャラクタ画像１０４の変更や、キャラクタ画像１０４を移動させるタイミングの変更、移動経路の変更などを容易に実現することができる。また、端末装置としてタブレット端末やスマートフォン、汎用的なＰＣ等を用いることができ、安価にシステムを構築することができる。また、第２実施形態と同様に、ＰＣ１０１からプロジェクタ１０２に送信する情報を減らすことができる。また、プロジェクタ１０２同士が通信できないネットワーク環境のおいても、一連のキャラクタ画像１０４の重畳表示を実現することができる。
【００９８】
≪第３実施形態≫
次に、第３実施形態に係る表示システム１００について説明する。ここでは、第１〜第２実施形態と異なる部分についてのみ記述する。
【００９９】
＜表示システムの機能構成＞
図１０は、第３実施形態に係る表示システム１００の機能構成図である。なお、表示システム１００に含まれる複数のプロジェクタ１０２は、プロジェクタ１０２−１と同様の構成を有しているものとする。
【０１００】
（端末装置の機能構成）
ＰＣ１０１は、例えば、図２のＣＰＵ２０１で所定のプログラムを実行することにより、通信部４０１、画像選択部４０２、経路設定部４０３、時刻同期部１００１、および表示開始指示部１００２等を実現している。
【０１０１】
時刻同期部１００１は、ＰＣ１０１と各プロジェクタ１０２との時刻の同期をとるための機能を提供する。なお、時刻同期の実現方法は問わないが、好適な方法として、例えばＮＴＰ（Ｎｅｔｗｏｒｋ Ｔｉｍｅ Ｐｒｏｔｏｃｏｌ）を使用した方法等を用いることができる。
【０１０２】
表示開始指示部１００２は、プロジェクタ１０２に対してキャラクタ画像１０４の表示開始指示を行う部分である。なお、第３実施形態の表示開始指示部７０１は、全てのプロジェクタ１０２に同時に表示開始指示を行う点で異なっている。
【０１０３】
（プロジェクタの機能構成）
プロジェクタ１０２は、例えば、図３のＣＰＵ３０１で所定のプログラムを実行することにより、通信部４０５、記憶部４０６、画像合成部４０７、時刻同期部１００３、開始時刻算出部１００４、および開始時刻判定部１００５等を実現している。
【０１０４】
時刻同期部１００３は、ＰＣ１０１と各プロジェクタ１０２との時刻の同期をとるための機能を提供する。
【０１０５】
開始時刻算出部１００４は、経路情報と、開始指示を受け取った時刻から、自身のプロジェクタ１０２でキャラクタ画像１０４を重畳表示する画像合成処理を開始する時刻（開始時刻）を算出する。
【０１０６】
開始時刻判定部１００５は、開始時刻となったか否かを判定する。
【０１０７】
＜第３実施形態のタイムチャート＞
図１１は、第３実施形態に係る表示システム１００の処理の流れを表すシーケンス図である。
【０１０８】
ステップＳ１１０１からステップＳ１１０２において、第１実施形態のステップＳ６０１からステップＳ６０２と同様に、ユーザは、キャラクタ画像１０４を選択するとともに、キャラクタ画像１０４の経路の設定を行う。
【０１０９】
また、ＰＣ１０１の時刻同期部１００１および各プロジェクタ１０２の時刻同期部１００３は、ＰＣ１０１と各プロジェクタ１０２との時刻の同期を行う（ステップＳ１１０３〜１１０５）。なお、ユーザによるキャラクタ画像選択および経路設定と、時刻同期との順序については、ステップＳ１１０１〜Ｓ１１０５に示す順序に限られず、キャラクタ画像選択および経路設定の前に時刻同期を行ってもよい。
【０１１０】
ステップＳ１１０６からステップＳ１１０８において、第１実施形態のステップＳ６０３からステップＳ６０５と同様に、ＰＣ１０１は、各プロジェクタ１０２−１，１０２−２，１０２−３に、ユーザが選択・設定した情報を送信する。
【０１１１】
なお、ステップＳ１１０６〜Ｓ１１０８においてＰＣ１０１から送信する情報には、ステップＳ１１０１で選択されたキャラクタ画像１０４のデータ、およびステップＳ１１０２で設定された経路情報等が含まれる。ここで、経路情報とは、例えば、各プロジェクタ１０２の投影領域１０３での経路座標、移動速度等、プロジェクタ１０２でのキャラクタ画像１０４の合成に必要な情報である。
【０１１２】
ＰＣ１０１の表示開始指示部４０４は、ユーザが設定した表示開始時刻になると、全てのプロジェクタ１０２−１，１０２−２，１０２−３に同時に（ほぼ同時に）表示開始指示を送信する（ステップＳ１１０９〜１１１１）。
【０１１３】
プロジェクタ１０２−１は、ＰＣ１０１から表示開始指示を受信すると、開始時刻算出部１００４による画像合成処理を開始する時刻を算出する処理を実行する（ステップＳ１１１２）。開始時刻算出部１００４は、表示開始指示を受信した受信時刻および記憶部４０６に記憶された経路情報（経路の距離と移動速度）に基づいて、自身のプロジェクタ１０２−１の投影領域１０３−１上にキャラクタ画像１０４の重畳表示を開始する時刻（開始時刻）を算出する。
【０１１４】
開始時刻判定部１００５においてステップＳ１１１２で算出された開始時刻となったと判定されると、プロジェクタ１０２−１は、第１実施形態のステップＳ６０７と同様に、画像合成部４０７による画像合成処理を実行する（ステップＳ１１１３）。
【０１１５】
以下、プロジェクタ１０２−２，１０２−３においても、プロジェクタ１０２−１の場合と同様に、処理を行う（ステップＳ１１１４〜Ｓ１１１７）。
【０１１６】
このようにして、各プロジェクタ１０２で算出した開始時刻に基づいて画像合成処理を開始することにより、複数のプロジェクタ１０２の投影領域１０３上をキャラクタ画像１０４が移動していく演出を容易に実現することができる。
【０１１７】
以上、第３実施形態に係る表示システム１００によれば、第１実施形態と同様に、各プロジェクタ１０２の投影領域１０３に異なる画像（背景画像）を投影している状態において、任意のタイミングでキャラクタ画像１０４が複数の投影領域１０３を跨いで移動していくといった演出を容易に実現することができる。また、キャラクタ画像１０４の変更や、キャラクタ画像１０４を移動させるタイミングの変更、移動経路の変更などを容易に実現することができる。また、端末装置としてタブレット端末やスマートフォン、汎用的なＰＣ等を用いることができ、安価にシステムを構築することができる。また、第２実施形態と同様に、ＰＣ１０１からプロジェクタ１０２に送信する情報を減らすことができる。また、プロジェクタ１０２同士が通信できないネットワーク環境のおいても、一連のキャラクタ画像１０４の重畳表示を実現することができる。
【０１１８】
また、第３実施形態に係る表示システム１００においては、ＰＣ１０１からプロジェクタ１０２への表示開始指示を最初にまとめて送信する構成であるため、もしキャラクタ画像の重畳表示中にネットワークトラブル等が発生してＰＣ１０１および各プロジェクタ１０２間の通信が切断されてしまった場合であっても、一連の重畳表示の演出を正常に継続することができる。
【０１１９】
なお、第３実施形態に係る表示システム１００においては、各プロジェクタ１０２が開始時刻算出部１００４を備えており、開始時刻をプロジェクタ１０２自身が算出する構成として説明したが、これに限られるものではない。例えば、ＰＣ１０１が各プロジェクタ１０２の開始時刻を算出する開始時刻算出部を備え、ステップＳ１１０９〜Ｓ１１１１の表示開始指示の送信と併せて、各プロジェクタ１０２の開始時刻を送信する構成としてもよい。
【０１２０】
≪第４実施形態≫
次に、第４実施形態に係る表示システム１００について説明する。ここでは、第１〜第３実施形態と異なる部分についてのみ記述する。
【０１２１】
＜表示システムの機能構成＞
図１２は、第４実施形態に係る表示システム１００の機能構成図である。なお、表示システム１００に含まれる複数のプロジェクタ１０２は、プロジェクタ１０２−１と同様の構成を有しているものとする。
【０１２２】
（端末装置の機能構成）
ＰＣ１０１は、例えば、図２のＣＰＵ２０１で所定のプログラムを実行することにより、通信部４０１、画像選択部４０２、経路設定部４０３、時刻同期部１００１、および開始時刻算出部１２０１等を実現している。
【０１２３】
開始時刻算出部１２０１は、経路情報と、ユーザが設定した表示開始時刻から、各プロジェクタ１０２でキャラクタ画像１０４を重畳表示する画像合成処理を開始する時刻（開始時刻）を算出する。
【０１２４】
（プロジェクタの機能構成）
プロジェクタ１０２は、例えば、図３のＣＰＵ３０１で所定のプログラムを実行することにより、通信部４０５、記憶部４０６、画像合成部４０７、時刻同期部１００３、および開始時刻判定部１００５等を実現している。
【０１２５】
＜第４実施形態のタイムチャート＞
図１３は、第４実施形態に係る表示システム１００の処理の流れを表すシーケンス図である。
【０１２６】
ステップＳ１３０１からステップＳ１３０２において、第１実施形態のステップＳ６０１からステップＳ６０２と同様に、ユーザは、キャラクタ画像１０４を選択するとともに、キャラクタ画像１０４の経路の設定を行う。
【０１２７】
また、開始時刻算出部１２０１は、ユーザが設定した表示開始時刻および経路情報（経路の距離と移動速度）に基づいて、各プロジェクタ１０２の投影領域１０３上にキャラクタ画像１０４の重畳表示を開始する時刻（開始時刻）をそれぞれ算出する（ステップＳ１３０３）。
【０１２８】
また、ステップＳ１３０４からステップＳ１３０６において、第３実施形態のステップＳ１１０３からステップＳ１１０５と同様に、ＰＣ１０１の時刻同期部１００１および各プロジェクタ１０２の時刻同期部１００３は、ＰＣ１０１と各プロジェクタ１０２との時刻の同期を行う。
【０１２９】
ステップＳ１３０７からステップＳ１３０９において、第１実施形態のステップＳ６０３からステップＳ６０５と同様に、ＰＣ１０１は、各プロジェクタ１０２−１，１０２−２，１０２−３に、ユーザが選択・設定した情報を送信する。
【０１３０】
なお、ステップＳ１３０７〜Ｓ１３０９においてＰＣ１０１から送信する情報には、ステップＳ１３０１で選択されたキャラクタ画像１０４のデータ、ステップＳ１３０２で設定された経路情報、および各プロジェクタ１０２の重畳表示を開始する時刻（開始時刻）等が含まれる。ここで、経路情報とは、例えば、各プロジェクタ１０２の投影領域１０３での経路座標、移動速度等、プロジェクタ１０２でのキャラクタ画像１０４の合成に必要な情報である。
【０１３１】
プロジェクタ１０２−１の開始時刻判定部１００５において記憶部４０６に記憶された開始時刻となったと判定されると、プロジェクタ１０２−１は、第１実施形態のステップＳ６０７と同様に、画像合成部４０７による画像合成処理を実行する（ステップＳ１３１０，Ｓ１３１１）。
【０１３２】
以下、プロジェクタ１０２−２，１０２−３においても、プロジェクタ１０２−１の場合と同様に、処理を行う（ステップＳ１３１２〜Ｓ１３１５）。
【０１３３】
このようにして、ＰＣ１０１から送信された各プロジェクタ１０２の開始時刻に基づいて各プロジェクタ１０２がそれぞれ画像合成処理を開始することにより、複数のプロジェクタ１０２の投影領域１０３上をキャラクタ画像１０４が移動していく演出を容易に実現することができる。
【０１３４】
以上、第４実施形態に係る表示システム１００によれば、第１実施形態と同様に、各プロジェクタ１０２の投影領域１０３に異なる画像（背景画像）を投影している状態において、任意のタイミングでキャラクタ画像１０４が複数の投影領域１０３を跨いで移動していくといった演出を容易に実現することができる。また、キャラクタ画像１０４の変更や、キャラクタ画像１０４を移動させるタイミングの変更、移動経路の変更などを容易に実現することができる。また、端末装置としてタブレット端末やスマートフォン、汎用的なＰＣ等を用いることができ、安価にシステムを構築することができる。また、第２実施形態と同様に、ＰＣ１０１からプロジェクタ１０２に送信する情報を減らすことができる。また、プロジェクタ１０２同士が通信できないネットワーク環境のおいても、一連のキャラクタ画像１０４の重畳表示を実現することができる。
【０１３５】
また、第４実施形態に係る表示システム１００においては、ＰＣ１０１からプロジェクタ１０２への表示開始指示を送信する必要がないため、ＰＣ１０１からプロジェクタ１０２への情報送信が完了した後は、ＰＣ１０１を起動させておかなくてもよいし、ＰＣ１０１および各プロジェクタ１０２間の通信を切断してしまっても、一連の重畳表示の演出を正常に開始することができる。
【０１３６】
≪第５実施形態≫
次に、第５実施形態に係る表示システム１００について説明する。ここでは、第１〜第４実施形態と異なる部分についてのみ記述する。
【０１３７】
＜表示システムの機能構成＞
図１４は、第５実施形態に係る表示システム１００の機能構成図である。なお、表示システム１００に含まれる複数のプロジェクタ１０２は、プロジェクタ１０２−１と同様の構成を有しているものとする。なお、第５実施形態では、ＰＣ１０１およびプロジェクタ１０２がネットワーク１０６に接続されていない環境においても、一連の重畳表示の演出を実現することができる実施形態である。
【０１３８】
（端末装置の機能構成）
ＰＣ１０１は、例えば、図２のＣＰＵ２０１で所定のプログラムを実行することにより、外部接続部１４０１、画像選択部４０２、経路設定部４０３、および開始時刻算出部１２０１等を実現している。
【０１３９】
外部接続部１４０１は、例えば、図２の外部接続Ｉ／Ｆ２０５を用いて、ＵＳＢメモリ等の外部記憶装置３００と通信可能に接続する接続部である。
【０１４０】
（プロジェクタの機能構成）
プロジェクタ１０２は、例えば、図３のＣＰＵ３０１で所定のプログラムを実行することにより、外部接続部１４０２、記憶部４０６、画像合成部４０７、開始時刻判定部１００５、および時刻設定部１４０３等を実現している。
【０１４１】
外部接続部１４０２は、例えば、図３の外部接続Ｉ／Ｆ３０５を用いて、ＵＳＢメモリ等の外部記憶装置３００と通信可能に接続する接続部である。
【０１４２】
時刻設定部１４０３は、プロジェクタ１０２の内臓時計の時刻をユーザが設定する時刻合わせ機能を提供する。
【０１４３】
＜第５実施形態のタイムチャート＞
図１５は、第５実施形態に係る表示システム１００の処理の流れを表すシーケンス図である。
【０１４４】
ステップＳ１５０１からステップＳ１５０２において、第１実施形態のステップＳ６０１からステップＳ６０２と同様に、ユーザは、キャラクタ画像１０４を選択するとともに、キャラクタ画像１０４の経路の設定を行う。
【０１４５】
ステップＳ１５０３において、第４実施形態のステップＳ１３０３と同様に、開始時刻算出部１２０１は、ユーザが設定した表示開始時刻および経路情報（経路の距離と移動速度）に基づいて、各プロジェクタ１０２の投影領域１０３上にキャラクタ画像１０４の重畳表示を開始する時刻（開始時刻）をそれぞれ算出する。
【０１４６】
ユーザは、ＵＳＢメモリなどの外部記憶装置３００をＰＣ１０１に挿入する。ＰＣ１０１は、外部接続部１４０１を介して各プロジェクタ１０２−１，１０２−２，１０２−３に送る情報を外部記憶装置３００に保存する。そして、ユーザは、情報が保存された外部記憶装置３００をＰＣ１０１から抜去する（ステップＳ１５０４）。
【０１４７】
なお、ステップＳ１５０４において外部記憶装置３００に保存される情報には、ステップＳ１５０１で選択されたキャラクタ画像１０４のデータ、ステップＳ１５０２で設定された経路情報、および各プロジェクタ１０２の重畳表示を開始する時刻（開始時刻）等が含まれる。ここで、経路情報とは、例えば、各プロジェクタ１０２の投影領域１０３での経路座標、移動速度等、プロジェクタ１０２でのキャラクタ画像１０４の合成に必要な情報である。
【０１４８】
ユーザは、操作部３０９等を操作することにより時刻設定部１４０３を機能させ、プロジェクタ１０２−１の内臓時計の時刻を他のプロジェクタ１０２の時刻と合わせるように設定する（ステップＳ１５０７）。なお、既に正確な時刻が設定されている場合には実施しなくてもよい。また、時刻設定方法については、ユーザの操作により時刻合わせをする構成として説明したが、これに限られるものではなく、各プロジェクタ１０２が提供する時刻設定機能を使用してもよい。
【０１４９】
ユーザは、外部記憶装置３００をプロジェクタ１０２−１に挿入する。プロジェクタ１０２−１は、外部接続部１４０２を介して、外部記憶装置３００に保存された情報を記憶部４０６に記憶する。そして、ユーザは、外部記憶装置３００をプロジェクタ１０２−１から抜去する（ステップＳ１５０６）。
【０１５０】
以下、プロジェクタ１０２−２，１０２−３においても、プロジェクタ１０２−１の場合と同様に、処理を行う（ステップＳ１５０７〜Ｓ１５１０）。なお、外部記憶装置３００は、プロジェクタ１０２の台数分使用して、各プロジェクタ１０２へ送る情報を別の外部記憶装置３００に保存し、それぞれプロジェクタ１０２に挿入する構成としてもよく、１つの外部記憶装置３００を使用して、ＰＣ１０１での保存とプロジェクタ１０２でのコピーとを順次行う構成としてもよく、限定されるものではない。
【０１５１】
ステップＳ１５１１からステップＳ１５１６において、第４実施形態のステップＳ１３１０からステップＳ１３１５と同様に、各プロジェクタ１０２の開始時刻判定部１００５において記憶部４０６に記憶された開始時刻となったと判定されると、プロジェクタ１０２は、画像合成部４０７による画像合成処理を実行する。
【０１５２】
このようにして、ＰＣ１０１とプロジェクタ１０２が通信できない環境においても、外部記憶装置３００を介してＰＣ１０１から各プロジェクタ１０２に情報を送ることにより、複数のプロジェクタ１０２の投影領域１０３上をキャラクタ画像１０４が移動していく演出を容易に実現することができる。
【０１５３】
以上、第５実施形態に係る表示システム１００によれば、第１実施形態と同様に、各プロジェクタ１０２の投影領域１０３に異なる画像（背景画像）を投影している状態において、任意のタイミングでキャラクタ画像１０４が複数の投影領域１０３を跨いで移動していくといった演出を容易に実現することができる。また、キャラクタ画像１０４の変更や、キャラクタ画像１０４を移動させるタイミングの変更、移動経路の変更などを容易に実現することができる。また、端末装置としてタブレット端末やスマートフォン、汎用的なＰＣ等を用いることができ、安価にシステムを構築することができる。
【０１５４】
また、第５実施形態に係る表示システム１００においては、ＰＣ１０１とプロジェクタ１０２が通信できない環境においても、一連の重畳表示の演出を正常に開始することができる。
【０１５５】
以上、表示システム１００の実施形態等について説明したが、本発明は上記実施形態等に限定されるものではなく、特許請求の範囲に記載された本発明の要旨の範囲内において、種々の変形、改良が可能である。
【０１５６】
本実施形態に係る表示システム１００は、端末装置であるＰＣ１０１と、複数のプロジェクタ（表示装置）１０２と、で構成されるものとして説明したが、これに限られるものではない。例えば、複数のプロジェクタ１０２のうちの１台のプロジェクタ１０２が端末装置としての機能および表示装置としての機能を兼ねる構成であってもよい。
【符号の説明】
【０１５７】
１００      表示システム
１０１      ＰＣ
１０２      プロジェクタ
１０３      投影領域（表示領域）
１０４      キャラクタ画像（重畳画像）
１０５      経路
１０６      ネットワーク
３０８      画像投影部（表示部）
４０１      通信部（送信部）
４０２      画像選択部
４０３      経路設定部
４０４      表示開始指示部（第１指示部）
４０５      通信部
４０６      記憶部（記憶部）
４０７      画像合成部（重畳部）
４０８      表示開始指示部（第２指示部）
４０９      表示終了通知部
７０１      表示開始指示部（第３指示部）
７０２      表示終了通知部（通知部）
１００１，１００３  時刻同期部
１００２      表示開始指示部（第４指示部）
１００４    開始時刻算出部（第１開始時刻算出部）
１００５    開始時刻判定部
１２０１    開始時刻算出部（第２開始時刻算出部）
１４０１，１４０２  外部接続部
１４０３    時刻設定部
【先行技術文献】
【特許文献】
【０１５８】
【特許文献１】特開２０１３−２０５６０５号公報
【図１】
2019174772.tif 000003
【図２】
2019174772.tif 000004
【図３】
2019174772.tif 000005
【図４】
2019174772.tif 000006
【図５】
2019174772.tif 000007
【図６】
2019174772.tif 000008
【図７】
2019174772.tif 000009
【図８】
2019174772.tif 000010
【図９】
2019174772.tif 000011
【図１０】
2019174772.tif 000012
【図１１】
2019174772.tif 000013
【図１２】
2019174772.tif 000014
【図１３】
2019174772.tif 000015
【図１４】
2019174772.tif 000016
【図１５】
2019174772.tif 000017